(57)【要約】      （修正有）【課題】異なる衣類を掛けるとともに、ユーザがより簡単に操作でき、ハンガーの使用率を向上させ、実用性を高める掛け具を組み合わせたハンガーを提供する。【解決手段】掛け具を組み合わせたハンガーであり、上へネック部１１が延在し、ネック部の末端にフック１２が設けられ、フックを介してハンガーを乾燥棚又はクローゼット内に掛け、ネック部に掛け具２が外へ延在し、掛け具はネック部の任意一側又は両側に設けられ、ハンガーに他の物品、例えば靴や靴下、手袋などの物品を掛けるようにし、ハンガーの機能を増加し、使用上の便利さを増加する。さらに掛け具はハンガーと同一のストリップ状材から直接に曲げて成形され、品質上安定であり、堅牢で耐久性に優れる。【選択図】図１
0003216641.tif 000002
【実用新案登録請求の範囲】
【請求項１】
上へネック部が延在し、該ネック部末端にフックが設けられるハンガーと、
該ネック部から外へ延在して成形し、物品を掛けるための掛け具とを含む掛け具を組み
合わせたハンガー。
【請求項２】
該掛け具は同時に該ネック部の両側から外へ延在して成形する請求項１に記載の掛け具を組み合わせたハンガー。
【請求項３】
該掛け具は該ハンガーと同一のストリップ状材から直接に曲げて成形される請求項１又は２に記載の掛け具を組み合わせたハンガー。
【請求項４】
該掛け具の末端が上へやや曲げられ、掛けた後の該物品に安定したサポートを与える請求項１又は２に記載の掛け具を組み合わせたハンガー。
【考案の詳細な説明】
【技術分野】
【０００１】
本考案は日用品に属し、特に製造しやすく、一般の衣類に加えて、同時に他の物品を掛けることができ、便利でかつ実用的なハンガー構造に関する。
【背景技術】
【０００２】
従来のハンガーは図7に示すように，該従来のハンガー1'はストリップ状材から曲げて
なり、その両側の外形が対称的であり、かつ該従来のハンガー1'の上下の幅が中間から両側へしだいに小さくなり、該従来のハンガー1'の両側から衣類3'を嵌め入れ，該衣類3'が自然に垂れてその吊り下げを完了する。
【０００３】
該従来のハンガー1'は構造がシンプルで、低コストで、該衣類3'に対して十分であり、そのため該従来のハンガー1'の外形がほとんど変わらずに長い間にそのままであった。
【０００４】
しかし，普通の人々は前記衣類3'を着る以外に、他の需要も多くあり、最も一般的なのは靴下である。衣類3'、靴下を洗濯した後、該衣類3'を該従来のハンガー1'に吊り下げるが、靴下が別の方法で取り扱わなければならなく、整理上面倒である。また、該衣類3'が該靴下とペアになって扱う場合には、吊り下げるところが異なるため、仕上げの不便さを引き起こす可能性がある。
【０００５】
以上から見ると，従来のハンガー1'には改良すべきところが残っているから、まだまだ良いデザインではない。
【０００６】
したがって、本考案の発明者は業界での長年の実践経験に基づいて、長期的な研究開発と実施を経て、本件の掛け具を組み合わせたハンガーを最終的に完成させ、より便利なエクスペリエンスをユーザーに提供する。
【考案の概要】
【考案が解決しようとする課題】
【０００７】
本考案の主な目的は掛け具を組み合わせたハンガーを提供し、異なる衣類を掛けるとともに、ユーザがより簡単に操作できるようにし、ハンガーの使用率を向上させ、実用性を高める。
【０００８】
本考案のもう一つの目的は掛け具を組み合わせたハンガーを提供し、良好なスペース構成を提供し、より多くの衣類を吊り下げ、整理しやすくする。
【０００９】
本考案のさらなる目的は掛け具を組み合わせたハンガーを提供し、構造がシンプルで、製造しやすく、製品の耐用年数を大幅に高め、使用コストを削減することができる。
【課題を解決するための手段】
【００１０】
本考案は掛け具を組み合わせたハンガーであり、鉄線などのストリップ状材から曲げてなり、両側の外形が対称的であり、上下の幅が中間から両側へしだいに小さくなり、かつ該ハンガーの中間から上へネック部が延在し、該ネック部の末端にフックが設けられ、該ハンガーが両側から衣類を嵌め入れやすく，衣類が自然に垂れて該ハンガーに固定し、該ハンガーを該フックで乾燥棚又はクローゼット内に掛け、吊り下げの操作を完了する。
【００１１】
本考案は該ネック部位置に掛け具が外部へ延在し、該掛け具が物品を掛けるか又は物品を末端に嵌め入れてもよく、その目的は、該ハンガーの実用性を高めるように、該ハンガ
ーに掛けることに適しない物品、例えば靴下、手袋などに対して設けられることである。
【００１２】
該掛け具は該ハンガーと、お互いに邪魔することなく、それぞれ独立して使用可能であり、又は両方一緒に使用でき、使用方法が柔軟的で、該ハンガーの使用率を高めた。
【００１３】
さらに、該掛け具は該ネック部の一側に独立して配置するか、又は、該掛け具は該ネック部の両側から外へ延在して成形することができる。
【００１４】
又は、該掛け具は該ハンガーと同一のストリップ状材から直接に曲げてなり、製品の安定性を維持し、製品の耐久性を高め、コストがより低い。
【００１５】
また、該掛け具は末端が上へやや曲げられ、掛けた該物品に安定したサポートを与える。
【考案の効果】
【００１６】
本考案は従来の技術問題を解決し、異なる衣類の掛け整理を同時に実現し、ハンガー使用率を高め、かつ同一なストリップ状材から直接に曲げてなり、構造がシンプルで、製品の耐久性を高める。
【図面の簡単な説明】
【００１７】
【図１】は本考案の掛け具を組み合わせたハンガーの構造斜視図である。
【図２】は該掛け具を組み合わせたハンガーの構造平面図である。
【図３】は該掛け具を組み合わせたハンガーが単一のストリップ状材から曲げてなる構造模式図である。
【図４】は該掛け具を組み合わせたハンガーが衣類及び靴下を同時に吊り下げる実施例の図である。
【図５】は該掛け具を組み合わせたハンガーが衣類及び手袋を同時に吊り下げる実施例の図である。
【図６】は該掛け具を組み合わせたハンガーが衣類及び靴を同時に吊り下げる実施例の図である。
【図７】は従来のハンガーの使用例の図である。
【考案を実施するための形態】
【実施例】
【００１８】
以下、具体的な実施例を参照しながら本考案の実施形態を説明し、但し本考案の保護範囲を限定することを意図するものではない。
【００１９】
図1、図2、図4に示すように、本考案は掛け具を組み合わせたハンガーであり、主にハ
ンガー1を含み、該ハンガー1が普通のハンガーであり、鉄線などのストリップ状材から曲げてなり、製造した該ハンガー1は両側の外形が対称的であり、その上下の幅が中間から
両側へしだいに小さくなり、かつ該ハンガー1の中間から上へネック部11が延在し、該ネ
ック部11の末端にフック12が設けられ、上記構造により、一般的な衣類3などを該ハンガ
ー1の両側から該ハンガー1内に嵌め入れやすく、そして衣類が自然に垂れて該ハンガー1
に固定し、該ハンガー1を該フックで乾燥棚又はクローゼット内に掛け、吊り下げの操作
を完了する。
本考案は、該ネック部11の位置から外へ掛け具2が延在し、前記掛け具2が外観からラックのように見えるが、該掛け具2が物品を掛けるか又は物品を末端に嵌め入れることができ
、その主な目的は該ハンガー1に掛けることに適しない物品、例えば図4、図5の実施例に
おける靴下4、手袋5に対し設けられ、該ハンガー1の実用性を高めることであることを特
徴とする。
又は、図6に示すように、本考案は該掛け具2に靴6などの他の物品を掛けてもよく、該靴6を洗浄した後、乾燥、干しやすい。
また、該掛け具2が該ハンガー1と一体に設けられるが、お互いに邪魔することなく、それぞれ独立して使用可能であり、又は両方一緒に使用することができ、使用方法が柔軟的であり、該ハンガー1の使用率を高める。
該掛け具2は該ネック部11の一側に独立して設けられるか、又は、該掛け具2は該ネック部11の両側から外へ同時に延在して成形することができる。もちろん、同一のハンガー1に
より多くの掛け具2を設けても良いが、あまりにも多い該掛け具2が該ハンガー1の外観及
び体積に影響を与えることもあり、製造も難しくなり、そのため、該ネック部11の両側に該掛け具を対称的に設けることを主なデザインにする。
さらに、図3に示すように、該掛け具2は該ハンガー1と同一のストリップ状材から直接に
曲げてなり、実際のテストの後、該成形方法は手動でも自動化機械でも簡単で成形しやすい構造であり、製品の安定性を維持し、製品の耐久性を高め、コストがより低い。
また、各図面に示すように、該掛け具2の末端21が上へやや曲げられ、吊り下げた後の該
物品、例えば前記靴下4、手袋5、靴6などに安定したサポートを与える。
【符号の説明】
【００２０】
1、1'  ハンガー
11     ネック部
12     フック
2      掛け具
21     末端
3、3'  衣類
4      靴下
5      手袋
6      靴
【図１】
0003216641.tif 000003
【図２】
0003216641.tif 000004
【図３】
0003216641.tif 000005
【図４】
0003216641.tif 000006
【図５】
0003216641.tif 000007
【図６】
0003216641.tif 000008
【図７】
0003216641.tif 000009